(57)【要約】【課題】接続端子用カバーを簡単な構造で着脱しやすいものとする。【解決手段】カード式記憶媒体用の接続端子を設け、この接続端子を露出させる接続端子用開口１２を正面側キャビネット３（携帯端末本体）に設ける。接続端子用カバー１３が接続端子用開口１２を塞いだ状態で、リアカバー５によって接続端子用カバー１３の少なくとも一部及び正面側キャビネット３を覆う。【選択図】図１
2014053788.tif 000002
【特許請求の範囲】
【請求項１】
カード式記憶媒体用の接続端子と、
上記接続端子を露出させる接続端子用開口を有する携帯端末本体と、
上記接続端子用開口を塞ぐ接続端子用カバーと、
上記接続端子用カバーが上記接続端子用開口を塞いだ状態で、上記接続端子用カバーの少なくとも一部を覆うと共に、上記携帯端末本体を覆う蓋部材とを備えている
ことを特徴とする携帯端末。
【請求項２】
請求項１に記載の携帯端末において、
上記蓋部材が上記接続端子用カバーを覆った状態で該接続端子用カバーの一部が露出している
ことを特徴とする携帯端末。
【発明の詳細な説明】
【技術分野】
【０００１】
本発明は、カード式記憶媒体用の接続端子を有する携帯端末に関するものである。
【背景技術】
【０００２】
従来より、ＳＩＭカード（Subscriber Identity Module Card）やＳＤメモリーカード（Secure Digital memory card）などのカード式記憶媒体のための接続端子は、充電池を収容する電池収容部内に設けられたり、充電池とは関係のない位置に設けたりすることが知られている。
【０００３】
電池収容部内に設けると、携帯端末の厚さが厚くならないようにするために接続端子（スロットル）は、充電池と同じ高さで充電池に隣接するように設けられる。また、カードの脱着の規制が充電池によって行われるので、脱着が面倒である。
【０００４】
そこで、例えば特許文献１のように、筐体の一面に、電池とカード型機器とを対向する位置で、ほぼ同一面となるよう配置して収納し、その電池とカード型機器との間に、当該カード型機器が電池を乗り越える位置まで移動できる間隔を設けるようにしている。
【０００５】
一方、充電池と関係のない場所に設けるときには、接続端子用の開口を防塵カバーで覆うようにするが、この防塵カバーが、衝撃等により容易に外れるのを防止するため、防塵カバーに設けた係止爪を開口周縁の被係止部に係止している。
【先行技術文献】
【特許文献】
【０００６】
【特許文献１】特開２０１１−１６６２４４号公報
【発明の概要】
【発明が解決しようとする課題】
【０００７】
しかしながら、上記特許文献１の携帯端末においても、スロットの位置が充電池の位置に左右されるので、設計自由度が少ないという問題がある。また、充電池の近傍の狭い位置に設けたスロットにカードを抜き差しするのが面倒という問題もある。
【０００８】
一方、充電池と関係のない場所に設ける場合であっても、落下時等の衝撃で防塵カバーを外れにくくするために係止爪でしっかりと係止しなければならず、そうすると、防塵カバーを引き剥がしにくくなるという問題がある。また、係止爪を係止するための被係止部専用のスペースを筐体側に設けなければならないという問題がある。
【０００９】
本発明は、かかる点に鑑みてなされたものであり、その目的とするところは、簡単な構造で、着脱しやすい接続端子用カバーを得ることにある。
【課題を解決するための手段】
【００１０】
上記の目的を達成するために、この発明では、蓋部材で接続端子用カバーの少なくとも一部を覆うようにした。
【００１１】
具体的には、第１の発明の携帯端末は、
カード式記憶媒体用の接続端子と、
上記接続端子を露出させる接続端子用開口を有する携帯端末本体と、
上記接続端子用開口を塞ぐ接続端子用カバーと、
上記接続端子用カバーが上記接続端子用開口を塞いだ状態で、上記接続端子用カバーの少なくとも一部を覆うと共に、上記携帯端末本体を覆う蓋部材とを備えている。
【００１２】
上記の構成によると、接続端子用カバーの少なくとも一部が蓋部材で覆われているので、蓋部材を外さない限り、接続端子用カバーが外れてしまうことはない。このため、接続端子用カバーに堅固な係止爪を設ける必要がなくなり、携帯端末本体側にも係止爪を係止するスペースが必要とならない上に、蓋部材を外せば容易に接続端子用カバーを外せるので、カード式記憶媒体の脱着が容易である。一方で、充電池との位置関係を考慮する必要がなく、電池蓋で覆うことができる領域であればよいので、設計自由度が高い。
【００１３】
第２の発明では、第１の発明に加え、
上記蓋部材が上記接続端子用カバーを覆った状態で該接続端子用カバーの一部が露出している。
【００１４】
上記の構成によると、接続端子用カバーの位置が一目でわかりやすい。一方で、蓋部材で一部がしっかりと覆われているので、衝撃等により接続端子用カバーが外れてしまうことはない。
【発明の効果】
【００１５】
以上説明したように、本発明によれば、接続端子用カバーの少なくとも一部を携帯端末本体を覆う蓋部材で覆うようにしたことにより、係止爪などの堅固な係止構造が不要となり、簡単な構造で、着脱しやすい接続端子用カバーを得ることができる。
【図面の簡単な説明】
【００１６】
【図１】図５のＩ部拡大断面図である。
【図２】本発明の実施形態に係る携帯電話機を正面側から見た斜視図である。
【図３】携帯電話機を背面側から見た斜視図である。
【図４】リアカバーを外した状態の携帯電話機を示す背面図である。
【図５】図３のＶ−Ｖ線断面図である。
【図６】接続端子用カバーを拡大して示し、（ａ）及び（ｂ）が斜視図で、（ｃ）が平面図で、（ｄ）が正面図である。
【図７】接続端子用開口及びその周辺を拡大して示す斜視図である。
【発明を実施するための形態】
【００１７】
以下、本発明の実施形態を図面に基づいて説明する。図２は、本発明の実施形態に係る携帯端末としての携帯電話機１を正面側から見た斜視図である。図３は、携帯電話機１を背面側から見た斜視図である。この携帯電話機１は、正面側に液晶ディスプレイなどの表示部２を有し、この表示部２は、携帯端末本体としての樹脂成形品等よりなる正面側キャビネット３の正面側に嵌め込まれている。正面側キャビネット３の背面は、樹脂成形品等よりなる背面側キャビネット４で覆われ、その裏側が樹脂成形品等よりなる、矩形皿状の蓋部材としてのリアカバー５で覆われている。
【００１８】
図４は、リアカバー５を外した状態の携帯電話機１を示す背面図であり、図５は、図３のＶ−Ｖ線断面図であり、図６は、接続端子用カバーを拡大して示し、（ａ）及び（ｂ）が斜視図で、（ｃ）が平面図で、（ｄ）が正面図である。図７は、接続端子用開口及びその周辺を拡大して示す斜視図である。背面側キャビネット４の背面に形成した、背面から見て矩形状の充電池収容凹部１０には、矩形板状の充電池６が収容されている。詳しくは図示しないが、充電池６の正面側に配置されたメイン基板１１には、ＳＩＭカードやＳＤメモリーカードなどのカード式記憶媒体用のスロット状の接続端子が接続されている。正面側キャビネット３には、接続端子を露出させるための接続端子用開口１２が形成されている。この接続端子用開口１２は、エラストマー等の成形品よりなる接続端子用カバー１３で塞がれている。図６に示すように、接続端子用カバー１３は、弾性変形可能な挿入部１３ａを有し、この挿入部１３ａが圧入されて接続端子用開口１２を塞ぐようになっている。この挿入部１３ａが接続端子用開口１２を塞いだ状態で、正面部１３ｂが露出し、正面部１３ｂよりも一段低くなった背面部１３ｃがリアカバー５の周縁で覆われるようになっている。
【００１９】
なお、充電池６を挿入したままカード式記憶媒体を出し入れすることによる不具合の発生を防ぐために、リアカバー５を外したときには、電源が切れるようにしてもよい。
【００２０】
このように、通常は、接続端子用カバー１３の背面部１３ｃがリアカバー５で覆われているので、リアカバー５を外さない限り、接続端子用カバー１３が外れてしまうことはない。このため、接続端子用カバー１３に堅固な係止爪を設ける必要がなくなり、正面側キャビネット３側にも係止爪を係止するためのスペースが必要とならない上に、リアカバー５を外せば容易に接続端子用カバー１３を外せるので、カード式記憶媒体の脱着が容易である。
【００２１】
一方で、充電池６との位置関係を考慮する必要がなく、リアカバー５で覆うことができる領域であれば正面側キャビネット３のどの場所に接続端子用開口１２を設けてもよいので、設計自由度が高い。
【００２２】
また、リアカバー５が接続端子用カバー１３を覆った状態で、接続端子用カバー１３の正面側が露出しているので、接続端子用カバー１３の位置が一目でわかる。
【００２３】
以上説明したように、本発明によれば、接続端子用カバー１３の背面側を正面側キャビネット３を覆うリアカバー５で覆うようにしたことにより、簡単な構造で、着脱しやすい接続端子用カバー１３を得ることができる。
【００２４】
（その他の実施形態）
本発明は、上記実施形態について、以下のような構成としてもよい。
【００２５】
すなわち、上記実施形態では、蓋部材を、携帯端末本体の背面側全体を覆うリアカバー５としたが、携帯端末本体の一部のみを塞ぐ電池蓋等としてもよい。
【００２６】
上記実施形態では、ストレートタイプの携帯電話機１としたが、第１の筐体が第２の筐体に対してヒンジ部で折畳み可能に連結された折畳み式の携帯電話機や、第１の筐体が第２の筐体上をスライド移動するスライド式携帯電話機でもよい。この場合には、第１の筐体及び第２の筐体のいずれに接続端子用開口を設けてもよい。
【００２７】
また、上記実施形態では、携帯端末は、携帯電話機１としたが、カード式記憶媒体用の接続端子を有するものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００２９】
以上説明したように、本発明は、カード式記憶媒体用の接続端子を有する携帯電話機などの携帯端末について有用である。
【符号の説明】
【００３０】
１      携帯電話機（携帯端末）
２      表示部
３      正面側キャビネット（携帯端末本体）
４      背面側キャビネット
５      リアカバー（蓋部材）
６      充電池
１０      充電池収容凹部
１１      メイン基板
１２      接続端子用開口
１３      接続端子用カバー
１３ａ    挿入部
１３ｂ    正面部
１３ｃ    背面部
【図１】
2014053788.tif 000003
【図２】
2014053788.tif 000004
【図３】
2014053788.tif 000005
【図４】
2014053788.tif 000006
【図５】
2014053788.tif 000007
【図６】
2014053788.tif 000008
【図７】
2014053788.tif 000009